(57)【要約】【課題】キッチンキャビネットの上に設置した本体ケースの吸気口から発生する騒音を使用者に聞こえにくくする。【解決手段】本体ケース３６の底面から吸気通路５２側に突出量を可変にした遮音板４０を設け、遮音板４０の先端を本体設置面５１に当接させることにより、吸気口３７で発生する吸気音を遮音板４０で遮り、使用者に聞こえる騒音を低減することができる。【選択図】図１
2009070716.tif 000002
【特許請求の範囲】
【請求項１】
本体の天面を形成するトッププレートと、前記トッププレート上の被加熱物を加熱する加熱体と、前記加熱体を内包する本体ケースと、前記本体ケース内に取り付けられた冷却ファンと、前記本体ケースの底面に設けられた吸気口と、前記吸気口と設置面の間に吸気通路を形成する脚と、前記本体ケースの底面から吸気通路側に突出するように設けた遮音板とを備え、前記遮音板の前記本体ケースからの突出量を可変にし、前記遮音板の先端が、前記設置面に当接可能にした誘導加熱調理器。
【請求項２】
遮音板が、設置面側に付勢された請求項１に記載の誘導加熱調理器。
【請求項３】
遮音板が、本体ケース内に収納可能にした請求項１または２に記載の誘導加熱調理器。
【請求項４】
遮音板が、本体ケースの底に折り畳んで収納される請求項１に記載の誘導加熱調理器。
【請求項５】
遮音板の全体または一部が、弾性体で形成された請求項１〜４のいずれか１項に記載の誘導加熱調理器。
【請求項６】
吸気口に対し本体ケースの反対側には排気口を設け、前記吸気口と前記排気口との間に設けた設置面に当接する分離板が、本体ケースに設けられた請求項１〜５のいずれか１項に記載の誘導加熱調理器。
【請求項７】
分離板が、設置面側に付勢された請求項６に記載の誘導加熱調理器。
【請求項８】
分離板が、本体ケース内に収納可能にした請求項６または７に記載の誘導加熱調理器。
【発明の詳細な説明】
【技術分野】
【０００１】
本発明は、キッチンキャビネットなどの天板上に設置して使用する誘導加熱調理器に関するものである。
【背景技術】
【０００２】
従来、この種の誘導加熱調理器としては、キッチンキャビネットの天板の上に設置して、使用時に本体ケースの底に設けた吸気口から外気を吸い込んで本体ケース内に送風し、本体ケース内の温度上昇を抑えるものがある（例えば、特許文献１参照）。
【０００３】
その構成は図１２に示すように、本体１の天面は鍋などの被加熱物を載置するトッププレート２で形成され、トッププレート２の内側には被加熱物を加熱する加熱体３が配置されている。加熱体３の下方には加熱体３の出力を制御する制御回路４が設けられ、制御回路４の横には加熱体３や制御回路４を冷却する冷却ファン５が取り付けられている。冷却ファン５は本体１の下部を形成する本体ケース６に内包され、本体ケース６の底面には外気吸い込み用の吸気口７が設けられている。また、本体ケース６の底には脚８が取り付けられ、キッチンキャビネットの天板２１と本体ケース６との間に吸気通路２２を形成している。加熱体３に通電すると冷却ファン５が回転し、外気が吸気通路２２、吸気口７を通って本体１内に吸い込まれ、加熱体３や制御回路４を冷却する。加熱体３や制御回路４を冷却した空気は暖気となり、本体ケース６の後部に設けた排気口８から本体１外に排気される。
【特許文献１】特開平６−６０９７２号公報
【発明の開示】
【発明が解決しようとする課題】
【０００４】
しかしながら前記従来の構成では、外気吸い込み時に吸気口７で発生する吸気音が吸気通路２２から周囲に漏れ、特に本体１の正面側に漏れた音は使用者に直接伝わり耳障りな騒音になるという課題を有していた。
【０００５】
本発明は前記従来の課題を解決するもので、使用者に聞こえる騒音を低減することを目的とする。
【課題を解決するための手段】
【０００６】
前記従来の課題を解決するために本発明の誘導加熱調理器は、本体ケースの底面から吸気通路側に突出量を可変にした遮音板を設け、遮音板の先端を本体設置面に当接させるものである。
【０００７】
これによって、吸気口で発生する吸気音を遮音板で遮り、使用者に聞こえる騒音を低減することができる。
【発明の効果】
【０００８】
本発明の誘導加熱調理器は、吸気口で発生する吸気音を遮音板で遮り、使用者に聞こえる騒音を低減することができる。
【発明を実施するための最良の形態】
【０００９】
第１の発明は、本体ケースの底面から吸気通路側に突出量を可変にした遮音板を設け、遮音板の先端を本体設置面に当接させることにより、吸気口で発生する吸気音を遮音板で遮り、使用者に聞こえる騒音を低減することができる。
【００１０】
第２の発明は、特に、第１の発明において、遮音板を設置面側に付勢したもので、遮音板の上下位置の調整が不要で設置を容易にすることができる。
【００１１】
第３の発明は、特に、第１または第２の発明において、遮音板を本体ケース内に収納可能にしたことにより、輸送時の遮音板の破損を防ぐことができる。
【００１２】
第４の発明は、特に、第１の発明において、遮音板を本体ケースの底に折り畳んで収納するようにしたもので、輸送時の遮音板の破損を防ぐことができる。
【００１３】
第５の発明は、特に、第１〜４のいずれか１つの発明において、遮音板の全体または一部を弾性体で形成したことにより、遮音効果を増すことができる。
【００１４】
第６の発明は、特に、第１〜５のいずれか１つの発明において、吸気口と排気口の間の本体ケースに設置面に当接する分離板を設けたことにより、排気口から排出された暖気が吸気口に流れるのを遮り冷却効果を維持することができる。
【００１５】
第７の発明は、特に、第６の発明において、分離板を前記設置面側に付勢したことにより、分離板の上下位置の調整が不要で設置を容易にすることができる。
【００１６】
第８の発明は、特に、第６または第７の発明において、分離板を本体ケース内に収納可能にしたことにより、輸送時の分離板の破損を防ぐことができる。
【００１７】
以下、本発明の実施の形態について、図面を参照しながら説明する。なお、この実施の形態によって本発明が限定されるものではない。
【００１８】
（実施の形態１）
図１から図３は、本発明の実施の形態１における誘導加熱調理器を示している。
【００１９】
図に示すように、本体３１の天面は鍋などの被加熱物を載置するトッププレート３２で形成され、トッププレート３２の内側には被加熱物を加熱する加熱体３３が配置されている。加熱体３３の下方には加熱体３３の出力を制御する制御回路３４が設けられ、制御回路３４の横には加熱体３３や制御回路３４を冷却する冷却ファン３５が取り付けられている。冷却ファン３５は本体３１の下部を形成する本体ケース３６に収容され、本体ケース３６の底面には外気吸い込み用の吸気口３７が設けられている。また、本体ケース３６の底には脚３８が取り付けられ、キッチンキャビネットの天板５１と本体ケース３６との間に吸気通路５２を形成している。加熱体３３に通電すると冷却ファン３５が回転し、外気が吸気通路５２、吸気口３７を通って本体３１内に吸い込まれ、加熱体３３や制御回路３４を冷却する。加熱体３３や制御回路３４を冷却した空気は暖気となり、本体ケース３６の後部に設けた排気口３９から本体３１外に排気される。また、本体ケース３６の底面で吸気口３７と本体３１の正面側との間には遮音板４０が設けられている。遮音板４０は一部が本体ケース３６の中に入っており、その出し入れにより本体ケース３１からの突出量が変えられるようになっている。
【００２０】
以上のように形成された誘導加熱調理器について、以下その動作、作用を説明する。
【００２１】
まず、本体３１を設置する時には、本体３１を天板５１の上に置いて位置を決め、遮音板４０を天板５１の状態に合わせて引き出し、遮音板４０の先端を天板５１に当接させる。天板５１の端に段部が設けられていても遮音板４０の突出量を調節することにより、遮音板４０が先当たりして本体３１が浮いてしまうといったことがなく、正規の状態に設置することができる。
【００２２】
そして、本体３１を電源に接続して通電すると、加熱体３３、制御回路３４が作動しトッププレート３２上に置いた被加熱物が加熱される。この時、冷却ファン３５も回転し、吸気通路５２、吸気口３７を通って外気が本体３１内に吸い込まれ、加熱体３３や制御回路３４が冷却される。外気が吸気口３７を通過する時に発生する吸気音は吸気通路５２から周囲に漏れるが、本体３１の正面側（使用者が立つ側）に遮音板４０を設けているため吸気音は遮音板４０で遮られ、使用者に聞こえる不快な騒音を低減することができる。
【００２３】
このように、本実施の形態においては、本体ケースの底面から吸気通路側に突出量を可変にした遮音板を設け、遮音板の先端を本体設置面（キッチンキャビネットの天板５１）に当接させることにより、吸気口で発生する吸気音を遮音板で遮り、使用者に聞こえる騒音を低減することができる。
【００２４】
（実施の形態２）
図４は、本発明の実施の形態２における誘導加熱調理器を示している。実施の形態１と同一要素については同一符号を付してその説明を省略する。
【００２５】
本実施の形態における誘導加熱調理器は、本体ケース３６の中にばね４１を取り付け、遮音板４０をキッチンキャビネットの天板５１側に付勢してある。ここで、ばね４１の荷重は本体３１が持ち上がらない荷重に設定してある。ばね４１によって遮音板４０が天板５１側に付勢されているため、本体３１を設置する時には本体３１を天板５１の上に置くだけで遮音板４０を天板５１に当接させることができ、遮音板４０の上下位置の調整が不要で設置が容易である。
【００２６】
このように、本実施の形態においては、遮音板を設置面側に付勢したことにより、遮音板の上下位置の調整が不要で設置を容易にすることができる。
【００２７】
（実施の形態３）
図５は、本発明の実施の形態３における誘導加熱調理器を示している。実施の形態１と同一要素については同一符号を付してその説明を省略する。
【００２８】
本実施の形態における誘導加熱調理器は、本体ケース３６内に遮音板４０が収まる空間を設けてあり、遮音板４０を本体ケース３６内に押し込むと遮音板４０が本体ケース３６内に収納される。本体ケース３６の底には遮音板４０が突出してくるのを防ぐ引っ掛け具４２が取り付けられている。本体３１を包装し輸送する時には遮音板４０を本体ケース３６内に収納し引っ掛け具４２を掛けることで遮音板４０の突出がなくなるため、輸送時に包装箱に衝撃が加わっても遮音板４０には力が加わらず破損を防ぐことができる。
【００２９】
このように、本実施の形態においては、遮音板を本体ケース内に収納可能にしたことにより、輸送時の遮音板の破損を防ぐことができる。
【００３０】
（実施の形態４）
図６は、本発明の実施の形態４における誘導加熱調理器を示している。実施の形態１と同一要素については同一符号を付してその説明を省略する。
【００３１】
本実施の形態における誘導加熱調理器は、本体ケース３６にひんじ部４３を設け、遮音板４０を本体ケース３６の底面側に折り畳み可能に接合してある。本体ケース３６の底には遮音板４０が開いてくるのを防ぐ引っ掛け具４２が取り付けられている。本体３１を包装し輸送する時には遮音板４０を本体ケース３６の底面側に折り畳み、引っ掛け具４２に掛けることで遮音板４０の突出がなくなるため、輸送時に包装箱に衝撃が加わっても遮音板４０には力が加わらず破損を防ぐことができる。
【００３２】
このように、本実施の形態においては、遮音板を本体ケースの底に折り畳んで収納するようにしたことにより、輸送時の遮音板の破損を防ぐことができる。
【００３３】
（実施の形態５）
図７は、本発明の実施の形態５における誘導加熱調理器を示している。実施の形態１と同一要素については同一符号を付してその説明を省略する。
【００３４】
本実施の形態における誘導加熱調理器は、遮音板４０の先端に弾性体（ゴム等）４４を付加してある。弾性体４４を付加したことにより、遮音板４０の先端と天板５１との密着が良くなり遮音効果を増すことができる。遮音板４０の先端に弾性体４４を付加するのではなく、遮音板４０全体を弾性体で形成しても同様に遮音効果を増すことができる。
【００３５】
このように、本実施の形態においては、遮音板の全体または一部を弾性体で形成したことにより、遮音効果を増すことができる。
【００３６】
（実施の形態６）
図８と図９は、本発明の実施の形態６における誘導加熱調理器を示している。実施の形態１と同一要素については同一符号を付してその説明を省略する。
【００３７】
本実施の形態における誘導加熱調理器は、本体ケース３６底面の吸気口３７と排気口３９の間に分離板４５を設け、天板５１に当接させてある。本体３１を壁際に設置した場合には、排気口３９から排出された暖気が吸気通路５２側にも流れてしまう。しかし、分離板４５を天板５１に当接させてあるため、暖気が吸気口３７に流れるのが遮られて吸気口３７からは吸い込まれず、本体３１を壁際に設置しても冷却効果を維持することができる。
【００３８】
このように、本実施の形態においては、吸気口と排気口の間の本体ケースに設置面に当接する分離板を設けたことにより、本体を壁際に設置した場合であっても排気口から排出された暖気が吸気口に流れるのを遮り冷却効果を維持することができる。
【００３９】
（実施の形態７）
図１０は、本発明の実施の形態７における誘導加熱調理器を示している。実施の形態１と同一要素については同一符号を付してその説明を省略する。
【００４０】
本実施の形態における誘導加熱調理器は、本体ケース３６の中にスプリング４６を取り付け、分離板４５を天板５１側に付勢してある。ここで、スプリング４６の荷重は本体３１が持ち上がらない荷重に設定してある。スプリング４６によって分離板４５が天板５１側に付勢されているため、本体３１を設置する時には本体３１を天板５１の上に置くだけで分離板４５を天板５１に当接させることができ、分離板４５の上下位置の調整が不要で設置が容易である。
【００４１】
このように、本実施の形態においては、分離板を設置面側に付勢したことにより、分離板の上下位置の調整が不要で設置を容易にすることができる。
【００４２】
（実施の形態８）
図１１は、本発明の実施の形態８における誘導加熱調理器を示している。実施の形態１と同一要素については同一符号を付してその説明を省略する。
【００４３】
本実施の形態における誘導加熱調理器は、本体ケース３６内に分離板４５が収まる空間を設けてあり、分離板４５を本体ケース３６内に押し込むと分離板４５が本体ケース３６内に収納される。本体ケース３６の底にはスプリング４６によって天板５１側に付勢された分離板４５が突出してくるのを防ぐ留め具４７が取り付けられている。本体３１を包装し輸送する時には分離板４５を本体ケース３６内に収納し留め具４７を掛けることで分離板４５の突出がなくなるため、輸送時に包装箱に衝撃が加わっても分離板４５には力が加わらず破損を防ぐことができる。
【００４４】
このように、本実施の形態においては、分離板を本体ケース内に収納可能にしたことにより、輸送時の分離板の破損を防ぐことができる。
【産業上の利用可能性】
【００４５】
以上のように、本発明にかかる誘導加熱調理器は吸気口で発生する吸気音を遮音板で遮って使用者に聞こえる騒音を低減することができるので、誘導加熱調理器に限らずキッチンキャビネットの上に設置する冷却ファン搭載機器に適用できる。
【図面の簡単な説明】
【００４６】
【図１】本発明の実施の形態１における誘導加熱調理器の断面図
【図２】本発明の実施の形態１における誘導加熱調理器の要部拡大図
【図３】本発明の実施の形態１における誘導加熱調理器の下面斜視図
【図４】本発明の実施の形態２における誘導加熱調理器の要部拡大図
【図５】本発明の実施の形態３における誘導加熱調理器で遮音板収納時の要部拡大図
【図６】本発明の実施の形態４における誘導加熱調理器の要部拡大図
【図７】本発明の実施の形態５における誘導加熱調理器の要部拡大図
【図８】本発明の実施の形態６における誘導加熱調理器の断面図
【図９】本発明の実施の形態６における誘導加熱調理器の下面斜視図
【図１０】本発明の実施の形態７における誘導加熱調理器の要部拡大図
【図１１】本発明の実施の形態８における誘導加熱調理器で分離板収納時の要部拡大図
【図１２】従来例における誘導加熱調理器の断面図
【符号の説明】
【００４７】
３１  本体
３２  トッププレート
３３  加熱体
３５  冷却ファン
３６  本体ケース
３７  吸気口
３８  脚
３９  排気口
４０  遮音板
４４  弾性体
４５  分離板
５１  キッチンキャビネットの天板（設置面）
５２  吸気通路
【図１】
2009070716.tif 000003
【図２】
2009070716.tif 000004
【図３】
2009070716.tif 000005
【図４】
2009070716.tif 000006
【図５】
2009070716.tif 000007
【図６】
2009070716.tif 000008
【図７】
2009070716.tif 000009
【図８】
2009070716.tif 000010
【図９】
2009070716.tif 000011
【図１０】
2009070716.tif 000012
【図１１】
2009070716.tif 000013
【図１２】
2009070716.tif 000014